(57)【特許請求の範囲】
【請求項１】
載置部を備え、該載置部に載置された複数の被充電機器を充電する充電台であって、
上記載置部に載置されるとともに、自端末を含む上記複数の被充電機器の充電を制御する充電台制御端末から、該充電台制御端末において制御対象候補として選択されている被充電機器を示す制御対象候補情報を取得する制御対象候補情報取得手段と、
上記取得手段が取得した制御対象候補情報が示す被充電機器を他の被充電機器と区別する区別表示を行う区別表示処理手段と、
を備えていることを特徴とする充電台。
【請求項２】
上記の区別表示は、上記制御対象候補情報が示す被充電機器に対し、該被充電機器の一部を点灯または点滅させる指示を当該被充電機器に送信する処理であることを特徴とする請求項１記載の充電台。
【請求項３】
上記載置部には、被充電機器が載置される面を点灯する載置面点灯部が複数備えられており、
上記区別表示は、上記制御対象候補情報が示す被充電機器が載置されている上記載置部における位置の周辺の載置面点灯部を点灯または点滅させる処理であることを特徴とする請求項１に記載の充電台。
【請求項４】
載置されている、自端末を含む複数の被充電機器を充電可能な充電台を制御する充電台制御端末であって、
上記充電台から、該充電台に載置されている被充電機器のリストを取得するリスト取得手段と、
上記リスト取得手段が取得したリストから、表示部に被充電機器リストを表示する表示制御手段と、
上記表示制御手段が表示した被充電機器リストから、充電制御の対象候補の選択を受け付ける選択受付手段と、
上記選択受付手段が、充電制御の対象候補として選択している被充電機器を特定する制御対象候補情報を上記充電台に送信する制御対象候補情報送信手段と、を備えていることを特徴とする充電台制御端末。
【請求項５】
載置部を備え、該載置部に載置された複数の被充電機器を充電する充電台の制御方法であって、
上記載置部に載置されるとともに、自端末を含む上記複数の被充電機器の充電を制御する充電台制御端末から、該充電台制御端末において制御対象候補として選択されている被充電機器を示す制御対象候補情報を取得する制御対象候補情報取得ステップと、
上記取得ステップで取得した制御対象候補情報が示す被充電機器を他の被充電機器と区別する区別表示を行う区別表示処理ステップと、
を含むことを特徴とする充電台の制御方法。
【請求項６】
載置されている複数の被充電機器を充電可能な充電台を制御する充電台制御端末の制御方法であって、
上記充電台から、該充電台に載置されている被充電機器のリストを取得するリスト取得ステップと、
上記リスト取得ステップで取得したリストから、表示部に被充電機器リストを表示する表示制御ステップと、
上記表示制御ステップで、表示した被充電機器リストから、充電制御の対象候補の選択を受け付ける選択受付ステップと、
上記選択受付ステップで、充電制御の対象候補として選択している被充電機器を特定する制御対象候補情報を上記充電台に送信する制御対象候補情報送信ステップと、を含むことを特徴とする充電台制御端末の制御方法。
【請求項７】
請求項１〜３のいずれか１項に記載の充電台を動作させる充電台制御プログラムであって、コンピュータを上記の各手段として機能させるための充電台制御プログラム。
【請求項８】
請求項４に記載の充電台制御端末を動作させる充電台制御端末制御プログラムであって、コンピュータを上記の各手段として機能させるための充電台制御端末制御プログラム。
【請求項９】
請求項７に記載の充電台制御プログラム、および請求項８に記載の充電台制御端末制御プログラムの少なくとも何れか一方を記録したコンピュータ読み取り可能な記録媒体。
【発明の詳細な説明】
【技術分野】
【０００１】
本発明は、充電台および、該充電台を制御する充電台制御端末に関するものであり、特に、電気的な接点を有しないで充電を行う充電台、充電台制御方法、充電台制御プログラム、および該充電台を制御する充電台制御端末、充電台制御端末の制御方法、充電台制御端末制御プログラム、並びにこれらのプログラムが記録されたコンピュータ読み取り可能な記録媒体に関するものである。
【背景技術】
【０００２】
近年、携帯電話、携帯オーディオプレーヤ、携帯ムービープレーヤ等の携帯機器が使用されるようになってきている。また、電話機能、オーディオプレーヤ機能、ムービープレーヤ機能、インターネット接続機能などを１つの端末に備えた多機能の携帯機器も使用されるようになってきている。このような携帯機器を使用するためには、充電することが必要となるが、充電する度に携帯機器と充電器とを電気的に接続しなければならないのでは、煩わしい。特に、複数の携帯機器を充電する場合、それぞれの携帯機器を充電器と接続して充電を行わなくてはならないのでは、かなりの手間がかかってしまう。
【０００３】
そこで、携帯機器の充電器として、金属の接点を持たずに非接触で充電を行う無接点充電システムが注目されている。この無接点充電システムは、充電器に設けられた一次コイルと被充電機器である携帯機器に設けられた二次コイルとを磁気的に結合し、電磁誘導により一次コイル側から二次コイル側に非接触で電力を伝送して、充電を行うものである。
【０００４】
また、無接点充電システムでは、複数の被充電機器を載置して、それぞれの被充電機器を充電することができるものがある。
【０００５】
そして、特許文献１には、無接点の充電装置であって、優先設定がされた被充電機器が充電装置に載置されると、当該被充電機器に対して優先的に充電を行う充電装置が記載されている。
【０００６】
また、特許文献２には、無接点の充電台であって、被充電機器が載置された順序および場所に応じて、被充電機器の充電を行う充電台が記載されている。
【０００７】
また、特許文献３には、無接点の充電台であって、複数の被充電機器の優先度を設定し、設定した優先度に基づいて被充電機器の充電を行う充電台が記載されている。
【先行技術文献】
【特許文献】
【０００８】
【特許文献１】特開２０１０−２２１０５号公報（２０１０年１月２８日公開）
【特許文献２】特開２０１０−１８３７０６号公報（２０１０年８月１９日公開）
【特許文献３】特開２０１０−２６８６１０号公報（２０１０年１１月２５日公開）
【発明の概要】
【発明が解決しようとする課題】
【０００９】
上述したように、無接点の充電器では、並行して複数の被充電機器を充電することが可能なため、これらの被充電機器の充電を制御することができれば、利便性の向上につながる。
【００１０】
しかしながら、制御を行うときに制御対象に設定しようとしている被充電機器が充電台に載置されているどの機器であるのかが不明確だと、ユーザは被充電機器の制御を適切に行うことが困難になる。
【００１１】
そして、上記特許文献１、２には、複数の被充電機器の充電を制御することが記載されておらず、制御対象の被充電機器を明確にする必要がそもそもない。よって、制御対象に設定しようとしている被充電機器を明確にすることはできない。
【００１２】
また、上記特許文献３に記載された発明は、充電器において、被充電機器の充電の優先度を設定するものである。しかしながら、被充電機器の充電の優先度を設定する際に、どの被充電機器の優先度を設定しているのかを、どのように提示しているかについては記載されていない。よって、特許文献３に記載の発明でも、制御対象に設定しようとしている被充電機器を明確にしているとはいえない。
【００１３】
本発明は、上記の点に鑑みてなされたものであり、その目的は、被充電機器の充電制御設定を行うときに設定対象候補となっている被充電機器を明示する充電台等を実現することにある。
【課題を解決するための手段】
【００１４】
上記課題を解決するために、本発明に係る充電台は載置部を備え、該載置部に載置された複数の被充電機器を充電する充電台であって、上記載置部に載置されるとともに、自端末を含む上記複数の被充電機器の充電を制御する充電台制御端末から、該充電台制御端末において制御対象候補として選択されている被充電機器を示す制御対象候補情報を取得する制御対象候補情報取得手段と、上記取得手段が取得した制御対象候補情報が示す被充電機器を他の被充電機器と区別する区別表示を行う区別表示処理手段と、を備えていることを特徴としている。
【００１５】
また、本発明に係る充電台の制御方法は、載置部を備え、該載置部に載置された複数の被充電機器を充電する充電台の制御方法であって、上記載置部に載置されるとともに、自端末を含む上記複数の被充電機器の充電を制御する充電台制御端末から、該充電台制御端末において制御対象候補として選択されている被充電機器を示す制御対象候補情報を取得する制御対象候補情報取得ステップと、上記取得ステップで取得した制御対象候補情報が示す被充電機器を他の被充電機器と区別する区別表示を行う区別表示処理ステップと、を含むことを特徴としている。
【００１６】
上記の構成または方法によれば、載置部に載置されている複数の被充電機器のうち、充電台制御端末において制御を行う対象として選択されている被充電機器を示す制御対象候補情報を取得し、該被充電機器を他の被充電機器と区別する区別表示を行う。
【００１７】
これにより、ユーザに対し、制御対象候補となっている被充電機器を、明確に提示することができる。それゆえ、ユーザは、制御対象候補となっている被充電機器を明確に認識することができる。
【００１８】
本発明に係る充電台では、上記の区別表示は、上記制御対象候補情報が示す被充電機器に対し、該被充電機器の一部を点灯または点滅させる指示を当該被充電機器に送信する処理であってもよい。
【００１９】
上記の構成によれば、制御を行う対象として選択されている被充電機器の一部が点灯または点滅する。これにより、制御対象として選択されている被充電機器を、ユーザに対し明確に提示することができる。
【００２０】
本発明に係る充電台では、上記載置部には、被充電機器が載置される面を点灯する載置面点灯部が複数備えられており、上記の区別表示は、上記制御対象候補情報が示す被充電機器が載置されている上記載置部における位置の周辺の載置面点灯部を点灯または点滅させる処理であってもよい。
【００２１】
上記の構成によれば、制御を行う対象として選択されている被充電機器が載置されている周辺の載置面点灯部が、点灯または点滅する。これにより、制御対象として選択されている被充電機器を、ユーザに対し明確に提示することができる。
【００２２】
上記課題を解決するために、本発明に係る充電台制御端末は、載置されている複数の被充電機器を充電可能な充電台を制御する充電台制御端末であって、上記充電台から、該充電台に載置されている被充電機器のリストを取得するリスト取得手段と、上記リスト取得手段が取得したリストから、表示部に被充電機器リストを表示する表示制御手段と、上記表示制御手段が表示した被充電機器リストから、充電制御の対象候補の選択を受け付ける選択受付手段と、上記選択受付手段が、充電制御の対象候補として選択している被充電機器を特定する制御対象候補情報を上記充電台に送信する制御対象候補情報送信手段と、を備えていることを特徴としている。
【００２３】
また、本発明に係る充電台制御端末の制御方法は、載置されている複数の被充電機器を充電可能な充電台を制御する充電台制御端末の制御方法であって、上記充電台から、該充電台に載置されている被充電機器のリストを取得するリスト取得ステップと、上記リスト取得ステップで取得したリストから、表示部に被充電機器リストを表示する表示制御ステップと、上記表示制御ステップで、表示した被充電機器リストから、充電制御の対象候補の選択を受け付ける選択受付ステップと、上記選択受付ステップで、充電制御の対象候補として選択している被充電機器を特定する制御対象候補情報を上記充電台に送信する制御対象候補情報送信ステップと、を含むことを特徴としている。
【００２４】
上記の構成または方法によれば、取得した、充電台に載置されている被充電機器のリストから、表示部に被充電機器のリストを表示し、充電制御の対象候補となる被充電機器の選択を受け付ける。そして、受け付けた充電制御の対象候補を特定する制御対象候補情報を充電台に送信する。
【００２５】
これにより、充電台に対し、充電制御の対象候補として選択されている被充電機器を認識させることができる。
【００２６】
なお、上記の充電台、および充電台制御端末は、コンピュータによって実現してもよく、この場合には、コンピュータを上記各手段として動作させることにより上記の充電台および充電台制御端末をコンピュータにて実現させる充電台の制御プログラム、充電台制御端末の制御プログラム、およびこれらのうちの少なくとも何れか一方を記録したコンピュータ読み取り可能な記録媒体も、本発明の範疇に入る。
【発明の効果】
【００２７】
以上のように、本発明に係る充電台は、載置部に載置されるとともに、自端末を含む上記複数の被充電機器の充電を制御する充電台制御端末から、該充電台制御端末において制御対象候補として選択されている被充電機器を示す制御対象候補情報を取得する制御対象候補情報取得手段と、上記取得手段が取得した制御対象候補情報が示す被充電機器を他の被充電機器と区別する区別表示を行う区別表示処理手段と、を備えている構成である。
【００２８】
また、本発明に係る充電台の制御方法は、載置部に載置されるとともに、自端末を含む上記複数の被充電機器の充電を制御する充電台制御端末から、該充電台制御端末において制御対象候補として選択されている被充電機器を示す制御対象候補情報を取得する制御対象候補情報取得ステップと、上記取得ステップで取得した制御対象候補情報が示す被充電機器を他の被充電機器と区別する区別表示を行う区別表示処理ステップと、を含む方法である。
【００２９】
これにより、ユーザに対し、制御対象候補となっている被充電機器を明確に提示することができるという効果を奏する。それゆえ、ユーザは、制御対象候補となっている被充電機器を明確に認識することができるという効果を奏する。
【００３０】
また、本発明に係る充電台制御端末は、充電台から、該充電台に載置されている被充電機器のリストを取得するリスト取得手段と、上記リスト取得手段が取得したリストから、表示部に被充電機器リストを表示する表示制御手段と、上記表示制御手段が表示した被充電機器リストから、充電制御の対象候補の選択を受け付ける選択受付手段と、上記選択受付手段が、充電制御の対象候補として選択している被充電機器を特定する制御対象候補情報を上記充電台に送信する制御対象候補情報送信手段と、を備えている構成である。
【００３１】
また、本発明に係る充電台制御端末の制御方法は、充電台から、該充電台に載置されている被充電機器のリストを取得するリスト取得ステップと、上記リスト取得ステップで取得したリストから、表示部に被充電機器リストを表示する表示制御ステップと、上記表示制御ステップで、表示した被充電機器リストから、充電制御の対象候補の選択を受け付ける選択受付ステップと、上記選択受付ステップで、充電制御の対象候補として選択している被充電機器を特定する制御対象候補情報を上記充電台に送信する制御対象候補情報送信ステップと、を含む方法である。
【００３２】
これにより、充電台に対し、充電制御の対象候補として選択されている被充電機器を認識させることができるという効果を奏する。
【図面の簡単な説明】
【００３３】
【図１】本発明の実施の形態を示すものであり、充電台の要部構成を示すブロック図である。
【図２】本発明の実施の形態を示すものであり、携帯電話の要部構成を示すブロック図である。
【図３】本発明の実施の形態に係る接点充電システムの概要を説明するための図である。
【図４】上記実施の形態で用いる、機器リストおよび順位リストを示す図であり、（ａ）は機器リストを示す図であり、（ｂ）は順位リストを示す図である。
【図５】ＷＰＣ規格による充電処理の流れを示すフローチャートである。
【図６】充電台に初めて被充電機器が載置された場合の処理の流れを示すシーケンス図である。
【図７】充電台に、初めて管理機器が載置された場合の処理の流れを示すシーケンス図である。
【図８】充電台に、管理機器である携帯電話が載置されている状態で、さらに被充電機器が載置された場合の処理の流れを示すシーケンス図である。
【図９】定時通信の処理の流れを示すシーケンス図である。
【図１０】管理機器である携帯電話において、制御対象候補が選択されたときの処理の流れを示すシーケンス図である。
【図１１】管理機器である携帯電話において、制御対象候補が選択されたときの処理の流れを示すシーケンス図である。
【図１２】携帯電話における表示例を示す図である。
【図１３】制御対象候補として選択されていることを示す提示が行われている状態を説明するための図である。
【図１４】制御対象候補として選択されていることを示す提示が行われている状態を説明するための図である。
【発明を実施するための形態】
【００３４】
〔本実施の形態の概要〕
まず、本実施の形態の概要について、図３を用いて説明する。本実施の形態に係る無接点充電システム１０は、金属の接点がない無接点充電方式で被充電機器の充電を行うものである。具体的に図３を参照して説明する。図３は、無接点充電システム１０の概要を説明するための図である。図３には、充電台２の載置部３１に、携帯電話（充電台制御端末、被充電機器）１、デジタルカメラ（被充電機器）３、携帯音楽プレーヤ（被充電機器）４、および携帯音楽プレーヤ（被充電機器）５が載置されている状態が示されている。
【００３５】
このように、充電台２に被充電機器（携帯電話１、デジタルカメラ３、携帯音楽プレーヤ４、５）を載置することで、これらの被充電機器の充電を行うことが可能となる。なお、本実施の形態では、ＷＰＣ（Wireless Power Consortium）の規格（以降、ＷＰＣ規格と呼ぶ）に基づく無接点充電方式により、充電を行うのものである。
【００３６】
そして、本実施の形態は、被充電機器の１つである携帯電話１により、充電台２に載置されている被充電機器（携帯電話１を含む）の充電順位等を制御するものである。これにより、携帯電話１により、容易かつ手軽に被充電機器の充電を制御することができ、携帯電話１のユーザが、被充電機器の制御を手軽かつ容易に行えるようにすることができる。
【００３７】
また、充電の制御設定を行うときに、制御対象となっている被充電機器の点灯部を点灯させたり、載置部の、被充電機器が載置されている周辺を点灯させたりするものである。これにより、ユーザに対し明確かつ容易に設定対象となっている被充電機器を認識させることができる。
【００３８】
〔充電台２の構成〕
次に、充電台２の要部構成について、図１を参照して説明する。図１は、充電台２の要部構成を示すブロック図である。図１に示すように、充電台２は、載置部３１、インタフェース部（送電コイル）３２、制御部３３、および記憶部３４を含む構成である。
【００３９】
また、図１に示すように、充電台２は被充電機器（携帯電話１、デジタルカメラ３、携帯音楽プレーヤ４、５）を無接点、すなわち金属的な接点を持たずに、充電するものである。電力伝送については破線で示す。
【００４０】
載置部３１は、被充電機器が載置される部分であり、台等により構成されている。また、載置部３１には点灯部（載置面点灯部）３６が含まれている。
【００４１】
点灯部３６は、複数のＬＥＤ（Light emitting diode）により構成されており、載置部３１の被充電機器が載置される面（載置面）を点灯することができる。また、点灯部３６は、載置面を複数の領域に分け、それぞれの領域のみを点灯することもできる。また、点灯のみでなく点滅させることも可能である。
【００４２】
インタフェース部３２は、被充電機器との間のデータ通信のインタフェースとなるとともに、被充電機器を充電させるものである。具体的には、被充電機器のコイル（二次コイル）に電流を流すためのコイル（一次コイル）である。充電台２と各被充電機器とは、一次コイルと二次コイルとの間の電流、電圧を変化させることによりデータ通信を行っている。よって、充電台２と各被充電機器とは、充電中に限りデータ通信が可能となる。
【００４３】
なお、本実施の形態では、充電台２のコイルに電流を流すことにより電磁誘導が発生し、携帯電話１のインタフェース部（受電コイル）１５に電流が流れることを、充電台２から携帯電話１への電力伝送と呼ぶ。
【００４４】
制御部３３は、被充電機器の充電の制御や、制御の設定対象候補を提示する処理を含む充電台２の制御を行うものであり、検知部４１、および充電制御部４２を含む構成である。
【００４５】
検知部４１は、載置部３１に機器が載置されたか否かを検知するととともに、載置された場合、載置されたこと、および載置部３１における位置を充電制御部４２に通知するものである。
【００４６】
充電制御部４２は、被充電機器の充電を制御するものであり、取得部（制御対象候補情報取得手段）４３、機器リスト作成部４４、管理機器決定部４５、送信部４６、および選択機器特定表示制御部（区別表示処理手段）４７を含む構成である。より詳細には、充電制御部４２は、検知部４１から載置部３１に機器が載置されたことの通知を取得し、インタフェース部３２を介して当該機器に対し認証を求める認証データ＃１５ａを送信するものである。そして、認証データ＃１５ａに対し、正常に返信データ＃２１ａを受信すると、当該機器は被充電機器であると判定し、該被充電機器の基本情報データ＃２１ｂを取得するものである。また、充電制御部４２は、機器リスト作成部４４が作成した機器リスト（被充電機器リスト）に従って、被充電機器の充電を行うものである。また、充電制御部４２は、充電管理機器である携帯電話１から機器リストの要求である機器リスト要求データ＃２２ａを受信すると、携帯電話１に対し機器リストを送信する。
【００４７】
取得部４３は、インタフェース部３２を介し、携帯電話１から、被充電機器の充電の制御を行う能力を有することを示す管理可能情報（情報ビット「Ｃ」：制御可能情報）＃３２、被充電機器の充電の制御内容を示す制御情報データ＃２４ａを取得するとともに、携帯電話１を含む被充電機器から、当該被充電機器に関する情報である基本情報＃２１ｂを取得する。そして、取得した被充電機器情報を機器リスト作成部４４に通知するとともに、管理可能情報を管理機器決定部４５に通知する。
【００４８】
機器リスト作成部４４は、取得した基本情報データ＃２１ｂから機器リストを作成し、記憶部３４の機器リスト記憶部４８に記憶するものである。具体的には、機器リスト作成部４４は、基本情報データ＃２１ｂに、管理ＩＤ、充電順位、電池残量、情報ビットを加えて機器リストを作成する。充電順位は、被充電機器が載置された順序や、載置されている位置等によって決定する。また、電池残量はＷＰＣ規格のフェーズＰＨ１０４（後述する）により被充電機器から取得する。また、情報ビットのうち、被充電機器から取得するもの（情報ビット「Ｃ」）は、基本情報とともに取得する。また、情報ビットのうち、充電台２で決定するもの（情報ビット「Ｍ」）は、機器リスト作成部４４で決定して機器リスト作成する。情報ビット「Ｍ」を加えるか否かは、後述する管理機器決定部４５の指示により決定する。例えば、最初の載置された情報ビット「Ｃ」を有する機器に対し、情報ビット「Ｍ」を加える。
【００４９】
管理機器決定部４５は、取得部４３から取得した管理可能情報から、被充電機器の充電制御を行うことができる管理機器を決定する。管理機器は、管理可能情報を最初に送信した被充電機器に決定してもよいし、充電台２の載置位置によって決定してもよいし、ユーザの指示により決定してもよい。そして、管理機器に決定した被充電機器を示す情報を機器リスト作成部４４、および送信部４６に通知する。
【００５０】
また、充電台２で管理機器を決定せずに、管理機器である携帯電話１から管理機器であることを示す情報を取得し、当該携帯電話１を管理機器として判断する構成であってもよい。そして、管理機器として判断した携帯電話１に対し、充電台２で管理機器を決定した場合と同様の処理を行ってもよい。
【００５１】
送信部４６は、管理機器に決定した被充電機器に対し、当該被充電機器が管理機器に決定したことを示す管理機器特定データ＃１５ｂを携帯電話１に送信する。
【００５２】
記憶部３４は、機器リストを記憶する機器リスト記憶部４８を含む構成である。機器リスト記憶部４８に記憶されている機器リストの詳細は後述する。
【００５３】
選択機器特定表示制御部４７は、インタフェース部３２を介して、携帯電話１から設定対象候補情報（制御対象候補情報）＃２４ｂを取得すると、設定対象候補情報＃２４ｂが示す被充電機器に対し、当該被充電機器が備える点灯部を点灯させる点灯指示情報＃４７を送信するものである。なお、選択機器特定表示制御部４７は、インタフェース部３２を介して携帯電話１から設定対象候補情報＃２４ｂを取得すると、載置部３１の点灯部３６のうち、当該非充電機器が載置されている領域の周辺のみを点灯させてもよい。
【００５４】
以上のように、充電台２は、携帯電話１より設定対象候補情報＃２４ｂを取得すると、設定対象候補情報＃２４ｂが示す被充電機器の点灯部を点灯させるか、当該被充電機器が載置されている周辺の載置面を点灯させるものである。これにより、ユーザに対し、制御対象として選択している被充電機器がどの機器であるのかを、明確かつ容易に認識させることができる。
【００５５】
〔携帯電話１の構成〕
次に、携帯電話１の構成について図２を参照して説明する。図２は、携帯電話１の要部構成を示すブロック図である。携帯電話１は、充電台２によって充電される被充電機器であるとともに（電力伝送を破線で示す）、充電台２に載置されている被充電機器の充電を制御するものであり、操作部１１、表示部１２、制御部１３、蓄電池１４、インタフェース部１５、および記憶部１６を含む構成である。なお、携帯電話１の電話機能については、公知の技術を用いて可能であり、その説明は省略する。また携帯電話１は、電話機能だけでなく、インターネットに接続しウェブを閲覧する機能や電子メールの送受信を行う機能を備えていてもよい。なお、これらの機能も公知の技術を用いて可能である。
【００５６】
操作部１１は、被充電機器に対する制御の指示を受け付けるとともに、携帯電話１に対する操作を受け付けるものであり、受け付けた操作内容を制御部１３、および指示受付部２３に通知するものである。操作部１１は、操作ボタン等のハードウェアによって実現されてもよいし、表示部１２と兼ねて、タッチパネルにより構成されてもよい。すなわち、表示部１２にボタン等を表示し、当該ボタンに対応する位置の接触をタッチパネルで検知することにより、操作内容を受け付けるものであってもよい。
【００５７】
表示部１２は、充電台２に載置されている被充電機器の状態や、携帯電話１における各種情報等を表示するものである。
【００５８】
蓄電池１４は、充電によって繰り返し使用可能な電池である。蓄電池１４は、インタフェース部１５を介して取得した電力によって充電される。
【００５９】
インタフェース部１５は、充電台２とのデータ通信のインタフェースとなるものであり、コイル（受電コイル）によって構成されている。インタフェース部１５は、充電台２のコイル（一次コイル：インタフェース部３２）に電流が流れると、電磁誘導によって電流が流れ、これにより蓄電池１４を充電するものである。
【００６０】
制御部１３は、携帯電話１における充電に関する処理を行うものであり、充電制御部２１、および被充電機器制御部２２を含む構成である。
【００６１】
充電制御部２１は、携帯電話１の充電を制御するものである。より詳細には、充電制御部２１は、インタフェース部１５を介して、充電台２から、認証を求めるデータ＃１５ａを受信すると、充電台２に対し返信データ＃２１ａを送信するとともに、充電台２に対し携帯電話１の基本情報データ＃２１ｂに携帯電話１が管理機器であることを示す情報ビット「Ｃ」（管理可能情報）を加えて送信する。また、充電台２から電力伝送を受けると蓄電池１４の充電状況データ（充電状況情報）＃１４を取得して充電台２へ送信する。ここで、基本情報とは、携帯電話１の機器名、製造者コード、シリアルナンバー、機器カテゴリである。なお、基本情報はこれに限られるものではなく、機器を特定できる情報であればどのようなものであってもよい。
【００６２】
また、上述したように携帯電話１と充電台２との通信は、インタフェース部１５を介してのみ、すなわち充電中のみ可能である。これは、携帯電話１と充電台２との通信が、電磁結合により行われているためである。これは、充電台２と他の被充電機器との間においても同様である。
【００６３】
被充電機器制御部２２は、被充電機器の充電を制御するものであり、指示受付部（選択受付手段）２３、制御情報送信部（制御対象候補情報送信手段）２４、取得部（リスト取得手段）２５、および表示制御部（表示制御手段）２６を含む構成である。被充電機器制御部２２は、インタフェース部１５を介して充電台２に対し、機器リストを要求する機器リスト要求データ＃２２ａを送信し、充電台２から機器リストを示す機器リストデータ（被充電機器情報）＃１５ｃを取得するものである。そして、取得した機器リストを記憶部１６の機器リスト記憶部２８に記憶する。
【００６４】
また、被充電機器制御部２２は、指示受付部２３で受け付けたユーザの指示により、充電台２に載置されている被充電機器の充電順位を示す順位リストを作成し、順位リスト記憶部２７に記憶する。順位リストは、機器リスト記憶部２８に記憶されている機器リストから管理ＩＤと充電順位のみを抽出し、これを更新することにより作成する。そして、被充電機器制御部２２は、記憶部１６の順位リスト記憶部２７に記憶されている、被充電機器の充電順位を示す順位リストを示す順位リストデータ＃２２ｂを、インタフェース部１５を介して充電台２に送信する。
【００６５】
指示受付部２３は、操作部１１を介してユーザから受け付けた指示を制御情報送信部２４に通知するものである。より詳細には、ユーザから受け付けた充電制御対象候補となる被充電機器の選択の受け付け、被充電機器の充電順位の受け付け、および充電割合を受け付けて、これを示す制御情報を制御情報送信部２４に通知する。
【００６６】
制御情報送信部２４は、指示受付部２３から通知された制御情報を示す制御情報データ＃２４ａを、インタフェース部１５を介して充電台２に送信するものである。
【００６７】
また、制御情報送信部２４は、指示受付部２３を介して取得した、充電制御を行うときに、充電制御の候補として選択されている被充電機器を示す設定対象候補情報＃２４ｂを、インタフェース部１５を介して充電台２に送信する。
【００６８】
取得部２５は、インタフェース部１５を介して充電台２から、自端末が管理機器に決定したことを示す管理機器特定データ（管理機器特定情報）＃１５ｂ、および充電台２に載置されている被充電機器に関する情報である機器リストを示す機器リストデータ＃１５ｃを取得するものである。そして、取得した機器リストを表示制御部２６へ通知する。
【００６９】
表示制御部２６は、取得部２５から取得した機器リストに基づいて、表示部１２に被充電機器の状況を表示するものである。具体的には、表示部１２を、載置部３１を上から見たような状態に見立て、機器リストに記載されている被充電機器およびその充電状況を、それぞれの位置で表示する。これは、機器リストに含まれている位置情報４１７により可能である。
【００７０】
なお、制御部１３における各処理の流れについては、後述する。
【００７１】
記憶部１６は、被充電機器の充電の制御に用いる機器リストを記憶している機器リスト記憶部２８、および順位リストを記憶している順位リスト記憶部２７を含むものである。機器リスト、および順位リストについて、図４を参照して説明する。図４は、機器リストおよび順位リストを示す図であり、（ａ）が機器リストの例を示す図であり、（ｂ）が順位リストの例を示す図である。図４の（ａ）に示すように、機器リストは、管理ＩＤ４１１、充電順位４１２、製造者コード４１３、機器名４１４、シリアルナンバー４１５、機器カテゴリ４１６、位置情報４１７、電池残量４１８、および情報ビット４１９から構成されている。
【００７２】
機器リストは、充電台２により作成され、携帯電話１に送信されるものである。管理ＩＤ４１１は、充電台２が、載置されている被充電機器に対し、管理用に割り当てる番号である。充電順位４１２は、載置されている被充電機器の充電順位を示すものである。製造者コード４１３は、充電台２が被充電機器から取得した当該被充電機器の製造者を示すコードである。
【００７３】
機器名４１４は、充電台２が被充電機器から取得した当該被充電機器の名称を示すものである。シリアルナンバー４１５は、充電台２が被充電機器から取得した当該被充電機器を特定するための番号である。機器カテゴリ４１６は、充電台２が被充電機器から取得した当該被充電機器のカテゴリを示すものである。
【００７４】
位置情報４１７は、被充電機器が充電台２のどの位置に載置されているかを示すものである。ここでは、座標で示されている。電池残量４１８は、充電台２が被充電機器から取得した当該被充電機器の電池の残量を示すものである。情報ビット４１９は、充電台２が被充電機器から取得した、または充電台２が設定した、当該被充電機器の情報を示すビットである。
【００７５】
図４の（ａ）に示す機器リスト４０１では、図３に示すように充電台２に携帯電話１、デジタルカメラ３、携帯音楽プレーヤ４、５が載置されている場合を示している。具体的には、デジタルカメラ３と管理ＩＤ４１１が「０００２」で示される被充電機器とが対応し、この被充電機器の充電順位４１２が「１」であり、製造者コード４１３が「０ｘ１２３４」、機器名４１４が「Ａ」、シリアルナンバー４１５が「０３１４２０１０１１２１」、機器カテゴリ４１６が「カメラ」、位置情報４１７が「６４，１９２」、電池残量４１８が「９０％」、情報ビット４１９が無し、ということが示されている。以下、携帯音楽プレーヤ４と管理ＩＤ４１１が「０００４」で示される被充電機器とが対応し、携帯音楽プレーヤ５と管理ＩＤ４１１が「０００５」で示される被充電機器とが対応し、携帯電話１と管理ＩＤ４１１が「０００６」で示される被充電機器とが対応する。
【００７６】
なお、位置情報４１７は、充電台２の載置部３１における被充電機器の位置を示すものであり、座標で示している。位置情報４１７が「６４，１９２」とは、載置部３１を上から見たときの左下の位置を「０，０」として右に「６４」、上に「１９２」進んだ位置を示している。なお、位置を示す方法はこれに限られるものではない。
【００７７】
また、管理ＩＤ４１１が「０００６」の情報ビット４１９に立っている「Ｍ、Ｃ」というビットは、充電台２に載置されている被充電機器の充電制御を行うことができる機器であるか否かを示している。情報ビット４１９「Ｃ」は、被充電機器の充電制御を行うこと能力を有する機器で有ることを示し、情報ビット４１９「Ｍ」は、その時点における被充電機器の充電制御を行っている機器（管理機器）であることを示している。よって、ここでは、管理ＩＤ４１１「０００６」が、携帯電話１に相当する。
【００７８】
順位リストは、ユーザの指示により被充電機器制御部２２で作成されるものである図４の（ｂ）に示すように、順位リストは、管理ＩＤ４２１および充電順位４２２から構成されている。管理ＩＤ４２１は管理ＩＤ４１１と同様であり、充電順位４２２は充電順位４１２と同様である。
【００７９】
なお、情報ビット「Ｍ」は、充電台２によって設定されてもよいし、携帯電話１で設定するものであってもよい。情報ビット「Ｍ」を携帯電話１で設定した場合は、携帯電話１の基本情報データ＃２１ｂに、情報ビット「Ｃ」および情報ビット「Ｍ」を加えて、充電台２に送信する。
【００８０】
また、携帯電話１には、図示しない点灯部が備えられ、充電台２から点灯指示情報＃４７を取得すると、所定時間、点灯部の表示を行う。これは、携帯電話１のみではなく、その他の被充電機器（デジタルカメラ３、携帯音楽プレーヤ４、５）にも備えられている。なお、点灯部は、点灯だけでなく点滅するものであってもよい。
【００８１】
以上のように、携帯電話１は、充電台２によって充電される被充電機器であるとともに、充電台２の載置されている被充電機器の充電の制御を行うことができるものである。
また、制御対象候補として選択されている被充電機器を示す設定対象候補情報＃２４ｂを送信することにより、当該被充電機器をユーザに対し、明確かつ容易に提示できるようにするものである。
【００８２】
また、携帯電話１以外の被充電機器（デジタルカメラ３、携帯音楽プレーヤ４、５）は、管理機器としての機能を有していないので、携帯電話１の構成から被充電機器制御部２２が抜けた構成であり、認証の返信（＃２１ａ）、基本情報（＃２１ｂ）、および充電状況（＃１４）についてのみ充電台２に送信可能である。
【００８３】
〔無接点充電システム１０における処理の流れ〕
次に、無接点充電システム１０における処理の流れについて、図５〜１４を参照して説明する。
【００８４】
〔ＷＰＣ規格による無接点充電方式〕
まず、本実施の形態における処理の流れを説明する前に、ＷＰＣ規格による充電処理の基本的な流れについて図５を参照して説明する。図５は、ＷＰＣ規格による充電処理の流れを示すフローチャートである。図５に示すように、ＷＰＣ規格では、まず、充電台は、「Ｓｅｌｅｃｔｉｏｎフェーズ」と呼ばれる待機状態にある（ＰＨ１０１）。次に、充電台に被充電機器が載置されると、「Ｐｉｎｇフェーズ」と呼ばれるフェーズに入る（ＰＨ１０２）。「Ｐｉｎｇフェーズ」では、充電台から被充電機器に対し、電力を供給して返信を待つ。そして、正しい返信があれば、次の「Ｃｏｎｆｉｇｕｒａｔｉｏｎ  ＆  Ｉｄｅｎｔｉｆｉｃａｔｉｏｎフェーズ」に入る（ＰＨ１０３）。これにより、ＷＰＣ規格に非対応の被充電機器や元々被充電機器ではない異物等が充電台に載置された場合に誤って充電が行われて、発熱等の事故が起こることを防止している。
【００８５】
「Ｃｏｎｆｉｇｕｒａｔｉｏｎ  ＆  Ｉｄｅｎｔｉｆｉｃａｔｉｏｎフェーズ」では、充電台は、被充電機器から要求している電力量や被充電機器の基本情報を取得する。そして、次の「Ｐｏｗｅｒ  Ｔｒａｎｓｆｅｒフェーズ」に入る（ＰＨ１０４）。
【００８６】
「Ｐｏｗｅｒ  Ｔｒａｎｓｆｅｒフェーズ」では、電力伝送が行われる。また、常に、被充電機器から電力伝送の状況が充電台に送られる。そして、充電が完了するとＰＨ１０１に戻る。
【００８７】
以上が、ＷＰＣ規格による充電処理の基本的な流れである。
【００８８】
〔被充電機器が初めて充電台に載置された場合〕
次に、充電台２に初めて被充電機器が載置された場合の充電処理の流れについて、図６を参照して説明する。図６は、充電台２に初めて被充電機器が載置された場合の処理の流れを示すシーケンス図である。
【００８９】
図６に示すように、充電台２の載置部３１に被充電機器が載置されると、充電台２の検知部４１が、これを検知する（Ｓ１１）。そして、充電台２の充電制御部４２は、載置された被充電機器に対し、認証通信（ＰＨ１０２）を行う（Ｓ１２）。
【００９０】
載置された被充電機器は、充電台２から認証通信が行われることにより、自機器が充電台２に載置されたことを認識する（Ｓ２１）。充電台２に載置されたことを認識した被充電機器は、基本情報を充電台２に送信する（Ｓ２２）。また、充電台２は、被充電機器から基本情報を取得する（Ｓ１３、ＰＨ１０３）。
【００９１】
被充電機器から基本情報を取得した充電台２は、機器リストを作成し（Ｓ１４）、被充電機器に対し電力伝送を開始する（Ｓ１５、ＰＨ１０４）。そして、充電台２から電力を取得した被充電機器は、充電を開始する（Ｓ２３）。その後、被充電機器の充電が完了すると（Ｓ２４）、充電台２は電力伝送を終了する（Ｓ１６）。
【００９２】
以上が、充電台２に初めて被充電機器が載置された場合の処理の流れである。
【００９３】
〔管理機器が始めて充電台に載置された場合〕
次に、携帯電話１のような、充電制御が可能な管理機器が、初めて充電台２に載置された場合の処理の流れについて、図７を参照して説明する。図７は、充電台２に、初めて管理機器が載置された場合の処理の流れを示すシーケンス図である。
【００９４】
図７に示すように、充電台２の載置部３１に携帯電話１が載置されると、充電台２の検知部４１が、これを検知する（Ｓ３１）。そして、充電台２の充電制御部４２は、載置された携帯電話１に対し、認証通信（ＰＨ１０２）を行う（Ｓ３２）。
【００９５】
載置された携帯電話１は、充電台２から認証通信が行われることにより、自機器が充電台２に載置されたことを認識する（Ｓ４１）。充電台２に載置されたことを認識した携帯電話１の充電制御部２１は、充電台２に対し、基本情報および、自機器が管理機器としての機能を有していることを示す情報ビット「Ｃ」を送信する（Ｓ４２）。
【００９６】
基本情報および情報ビット「Ｃ」を取得した充電台２は（Ｓ３３、制御可能情報取得ステップ）、機器リスト作成部４４が機器リストを更新し（Ｓ３４）、充電台２に載置されている被充電機器の充電を制御する機器に対し情報ビット「Ｍ」を立てる（Ｓ３５、管理機器決定ステップ）。そして、情報ビット「Ｍ」を立てた機器リストを機器リスト記憶部２８に記憶する。このときの機器リストは、例えば図４の（ａ）に示す機器リスト４０１のようなものになる。ここでは、携帯電話１の管理ＩＤ４１１が「０００６」となり、情報ビット４１９に「Ｃ」および「Ｍ」が立っていることがわかる。また、機器リスト４０１に示す例は、携帯電話１が載置される前に、既に、管理ＩＤ４１１「０００２」、「０００４」、「０００５」で示される被充電機器が載置されていた場合を示している。
【００９７】
上述したように、充電台２に載置されている被充電機器の充電を制御する機器、すなわち情報ビット「Ｍ」を立てる機器は、情報ビット「Ｃ」が立っている機器のうち、最初に載置された機器にしてもよいし、載置部３１の位置に応じて決定してもよい。また、ユーザからの指示を受け付けて決定してもよい。
【００９８】
また、情報ビット「Ｍ」を充電台２で立てる構成ではなく、携帯電話１で立てられたものを取得する構成であってもよい。
【００９９】
機器リストを更新した充電台２は、情報ビット「Ｍ」が立っている機器、すなわち携帯電話１に対し、電力伝送を開始する（Ｓ３６、ＰＨ１０４）。充電台２の電力伝送の開始により、充電を開始した携帯電話１は（Ｓ４３）、充電台２に対し機器リストを要求する（Ｓ４４）。
【０１００】
機器リストの要求を受けた充電台２は、機器リスト記憶部２８に記憶している機器リストを携帯電話１に送信する（Ｓ３７）。そして、携帯電話１は、機器リストを取得すると（Ｓ４５、リスト取得ステップ）、機器リストに基づいて、表示部１２に被充電機器の状況を表示する（Ｓ４６、表示制御ステップ）。
【０１０１】
そして、携帯電話１は、ユーザから被充電機器の充電順位の指示を受け付け、充電順位受付処理を行い（Ｓ４７、選択受付ステップ）、充電台２は、変更提示処理を行う（Ｓ３８）。ステップＳ４７の充電順位受付処理およびステップＳ３８の変更提示処理を含む処理２０１の詳細については後述する。
【０１０２】
その後、充電台２は、定時通信（Ｓ３９：後述する）を行い、機器リストが更新されると、更新後の機器リストに従い、被充電機器の充電を行う（Ｓ４０）。
【０１０３】
一方、充電順位の変更を受け付けた携帯電話１の被充電機器制御部２２は、順位リストを作成し、順位リスト記憶部２７に記憶する。順位リストは、図４の（ｂ）に示す順位リスト４０２のように、管理ＩＤ４２１と充電順位４２２とが対応付けられたリストである。順位リスト４０２では、管理ＩＤ４２１が「０００６」の被充電機器の充電順位が「１」となり、以下、管理ＩＤ４２１が「０００２」、「０００４」、「０００５」と続いている。すなわち、変更前の充電順位が機器リスト４０１のようになっていたとすると、携帯電話１の充電順位が「４」から「１」に上がり、以下、デジタルカメラ３の充電順位が「１」から「２」へ、携帯音楽プレーヤ４の充電順位が「２」から「３」へ、携帯音楽プレーヤ５の充電順位が「３」から「４」へ下がったことになる。
【０１０４】
その後、定時通信により、充電台２との通信が可能となったときに、作成した順位リストを充電台２に送信する（Ｓ４８）。
【０１０５】
以上が、管理機器である携帯電話１が、初めて充電台２に載置された場合の処理の流れである。
【０１０６】
〔充電台に管理機器が載置されており、さらに被充電機器が載置された場合〕
次に、充電台２に管理機器である携帯電話１が載置されている状態で、さらに被充電機器が載置された場合の処理の流れについて、図８を参照して説明する。図８は、充電台２に、管理機器である携帯電話１が載置されている状態で、さらに被充電機器が載置された場合の処理の流れを示すシーケンス図である。
【０１０７】
図８に示すように、充電台２の載置部３１に被充電機器が載置されると、充電台２の検知部４１が、これを検知する（Ｓ５１）。そして、充電台２の充電制御部４２は、載置された被充電機器に対し、認証通信（ＰＨ１０２）を行う（Ｓ５２）。
【０１０８】
載置された被充電機器は、充電台２から認証通信が行われることにより、自機器が充電台２に載置されたことを認識する（Ｓ６１）。充電台２に載置されたことを認識した被充電機器は、基本情報を充電台２に送信する（Ｓ６２）。また、充電台２は、被充電機器から基本情報を取得する（Ｓ５３、ＰＨ１０３）。
【０１０９】
被充電機器から基本情報を取得した充電台２は、機器リストを更新し（Ｓ５４）、被充電機器に対し電力伝送を開始する（Ｓ５５、ＰＨ１０４）。そして、被充電機器は充電を開始して、充電状況を送信する（Ｓ６３）。
【０１１０】
被充電機器の充電状況を取得した充電台２は、次に、管理機器である携帯電話１に対し、フェーズＰＨ１０２〜１０４を実施する（Ｓ５６）。ＰＨ１０４により、充電台２と通信が可能となった携帯電話１は、充電台２に対し、機器リストを要求する（Ｓ６４）。
【０１１１】
携帯電話１から機器リストを要求された充電台２は、機器リスト記憶部４８に記憶している機器リストを携帯電話１へ送信する（Ｓ５７）。
【０１１２】
充電台２から機器リストを取得した携帯電話１は（Ｓ６５）、該機器リストに基づいて、表示部１２の表示を更新する（Ｓ６６）。その後、充電順位の変更を受け付けた場合は充電順位変更変更処理を行う（Ｓ６７）。一方、充電台２では変更提示処理を行う（Ｓ５８）。
【０１１３】
その後、携帯電話１は、順位リストを更新し、定時通信時に充電台２に順位リストを送信する（Ｓ６８）。
【０１１４】
また、充電台２は、その後、定時通信を行い（Ｓ５９）、順位リストを取得すると、取得した順位リストに基づいて機器リストを更新し、更新した機器リストの充電順位に従って、電力伝送を行う（Ｓ６０）。
【０１１５】
以上が、充電台２に携帯電話１が載置されている状態で、さらに被充電機器が載置された場合の処理の流れである。
【０１１６】
〔定時通信〕
次に、定時通信について、図９を参照して説明する。図９は、定時通信の処理の流れを示すシーケンス図である。
【０１１７】
定時通信とは、充電台２が、情報ビット「Ｍ」が立っている管理機器（携帯電話１）に対し、定期的に通信を行うことにより、管理機器において更新された情報を、充電台２に反映させるものである。
【０１１８】
図９に示すように、定時通信では、充電台２は、まず、情報ビット「Ｍ」が立っている被充電機器（携帯電話１）に対し、フェーズＰＨ１０２〜１０４を実施する（Ｓ７１）。充電台２と通信が可能となった携帯電話１は、充電台２に対し、機器リストを要求する（Ｓ８１）。
【０１１９】
機器リストの要求を受けた充電台２は、機器リスト記憶部４８に記憶されている機器リストを携帯電話１に送信する（Ｓ７２）。機器リストを取得した携帯電話１は、取得した機器リストに基づいて、表示部１２の表示を更新する（Ｓ８３）。また、順位リストが更新されている場合、すなわち、取得した機器リストの充電順位と順位リストの充電順位とが異なる場合は、順位リストを充電台２に送信する（Ｓ８４）。
【０１２０】
順位リストを取得した充電台２は（Ｓ７３）、取得した順位リストに基づいて機器リストを更新する。そして、更新した機器リストに従って電力伝送を行う（Ｓ７４）。
【０１２１】
以上が、定時通信の流れである。
【０１２２】
〔被充電機器を点灯させる場合〕
次に、処理２０１において、被充電機器を点灯させる場合の処理の流れについて図１０、１２を参照して説明する。図１０は、被充電機器を点灯させる場合の処理の流れを示すシーケンス図である。なお、ここでは、携帯電話１において、制御対象候補として、デジタルカメラ３がまず選択され、次に携帯音楽プレーヤ４が選択された場合について説明する。
【０１２３】
携帯電話１が、ステップＳ４６において、機器リストを表示すると、該機器リストに基づいてユーザから被充電機器の充電順位の指示を受け付ける。具体的には、まず、表示している機器リストの中から充電順位を設定する被充電機器（設定対象機器）の選択を受け付ける。
【０１２４】
そして、設定対象機器の選択を受け付けると、当該設定対象機器（ここでは、デジタルカメラ３）を示す設定対象候補情報＃２４ｂを充電台２に送信する（Ｓ１１１、制御対象候補情報送信ステップ）。これは、ステップＳ４３で開始したＰＨ１０４の中で行う。充電台２は、設定対象候補情報＃２４ｂを取得すると（Ｓ１０１、制御対象候補情報取得ステップ）、設定対象候補情報＃２４ｂが示すデジタルカメラ３に対し、ＰＨ１０２〜１０４を実行し、点灯部を表示させる指示である点灯指示情報＃４７を送信する（Ｓ１０２、区別表示処理ステップ）。
【０１２５】
点灯指示情報＃４７を取得したデジタルカメラ３は（Ｓ１２１）、点灯部を点灯させ（Ｓ１２２）、所定時間が経過すると消灯する（Ｓ１２３）。
【０１２６】
点灯指示情報＃４７を送信した充電台２は、再び携帯電話１に対しＰＨ１０２〜１０４を実行し、携帯電話１からの指示を待つ。そして、携帯電話１において設定対象機器が変更されると（Ｓ１１２）、携帯電話１は、変更後の設定対象機器（ここでは、携帯音楽プレーヤ４）を示す設定対象候補情報＃２４ｂを充電台２に送信する（Ｓ１１３）。
【０１２７】
ここで、携帯音楽プレーヤ４が選択された状態の携帯電話１における表示例を、図１２を参照して説明する。図１２は、携帯電話１の表示例を示す図である。図１２の表示画面例１２０１に示すように、表示部１２には、領域１２１１に機器リストが表示され、下部に選択ボタン１２１２、決定ボタン１２１３が表示されている。機器リストは選択されている被充電機器を示す欄が選択表示されている。ここでは、携帯音楽プレーヤ４を示す欄が選択表示されている。この選択表示は、選択ボタン１２１２により選択される被充電機器が変更される毎に、変更される。
【０１２８】
充電台２は、設定対象候補情報＃２４ｂを取得すると（Ｓ１０３）、設定対象候補情報＃２４ｂが示す携帯音楽プレーヤ４に対し、ＰＨ１０２〜１０４を実行し、点灯部を表示させる指示である点灯指示情報＃４７を送信する（Ｓ１０４）。
【０１２９】
点灯指示情報＃４７を取得した携帯音楽プレーヤ４は（Ｓ１２４）、点灯部を点灯させ（Ｓ１２５）、所定時間が経過すると消灯する（Ｓ１２６）。
【０１３０】
ここで、点灯部を点灯させた携帯音楽プレーヤ４の例について、図１３を参照して説明する。図１３は、携帯音楽プレーヤ４が点灯部を点灯させた状態を示す図である。図１３に示すように、点灯指示情報＃４７を取得すると、携帯音楽プレーヤ４は、点灯部５０１を点灯させる。これにより、他の被充電機器と異なる状態とすることができ、選択されている被充電機器がどの機器であるのかを、ユーザに対し、明確かつ容易に認識させることができる。
【０１３１】
そして、ステップＳ１０１からステップＳ１２６の処理を、携帯電話１において設定対象機器が決定されるまで続ける。携帯電話１において設定対象機器が決定すると（Ｓ１１４）、携帯電話１の被充電機器制御部２２は、ユーザから受け付けた当該設定対象機器の充電順位で順位リスト作成する（Ｓ１１５）。そして、ステップＳ４８へ進む。また、充電台２は、ステップＳ３９へ進む。
【０１３２】
以上が、被充電機器を点灯させる場合の処理の流れである。
【０１３３】
〔被充電機器が載置されている周辺を点灯させる場合〕
次に、処理２０１において、被充電機器が載置されている周辺を点灯させる場合の処理の流れについて図１１、１４を参照して説明する。図１１は、被充電機器が載置されている周辺を点灯させる場合の処理の流れを示すシーケンス図である。なお、ここでも、携帯電話１において、制御対象候補として、デジタルカメラ３がまず選択され、次に携帯音楽プレーヤ４が選択された場合について説明する。
【０１３４】
携帯電話１が、ステップＳ４６において、機器リストを表示すると、該機器リストに基づいてユーザから被充電機器の充電順位の指示を受け付ける。具体的には、まず、表示している機器リストの中から充電順位を設定する被充電機器（設定対象機器）の選択を受け付ける。
【０１３５】
そして、設定対象機器の選択を受け付けると、当該設定対象機器（ここでは、デジタルカメラ３）を示す設定対象候補情報＃２４ｂを充電台２に送信する（Ｓ１６１）。これは、ステップＳ４３で開始したＰＨ１０４の中で行う。充電台２は、設定対象候補情報＃２４ｂを取得すると（Ｓ１５１）、デジタルカメラ３が載置されている位置周辺の点灯部３６を点灯させる（Ｓ１５２）。
【０１３６】
次に、携帯電話１において設定対象機器が携帯音楽プレーヤ４に変更されると（Ｓ１６２）、携帯電話１は、変更後の設定対象機器である携帯音楽プレーヤ４を示す設定対象候補情報＃２４ｂを充電台２に送信する（Ｓ１６３）。
【０１３７】
そして、充電台２は、設定対象候補情報＃２４ｂを取得すると（Ｓ１５３）、携帯音楽プレーヤ４が載置されている位置周辺の点灯部３６を点灯させる（Ｓ１５４）。携帯音楽プレーヤ４の位置周辺の点灯部３６が点灯している状態を、図１４を参照して説明する。図１４は、携帯音楽プレーヤ４の周辺が点灯している状態を示す図である。図１４に示すように、充電台２は、携帯音楽プレーヤ４を示す設定対象候補情報＃２４ｂを取得すると、載置部３１の載置面において、携帯音楽プレーヤ４の周辺領域５０２に位置している点灯部３６を点灯する。これにより、ユーザに対し、携帯音楽プレーヤ４が設定対象機器として選択されていることを、明確かつ容易に認識させることができる。
【０１３８】
そして、ステップＳ１５１からステップＳ１５４、ステップＳ１６１からステップＳ１６３までを、携帯電話１において設定対象機器が決定されるまで続ける。携帯電話１において設定対象機器が決定すると（Ｓ１６４）、携帯電話１の被充電機器制御部２２は、ユーザから受け付けた当該設定対象機器の充電順位で順位リスト作成する（Ｓ１６５）。そして、ステップＳ４８へ進む。また、充電台２は、ステップＳ３９へ進む。
【０１３９】
以上が、被充電機器が載置されている周辺を点灯させる場合の処理の流れである。
【０１４０】
〔ソフトウェアによる構成〕
最後に、携帯電話１および充電台２の各ブロック、特に制御部１３の充電制御部２１、被充電機器制御部２２（指示受付部２３、制御情報送信部２４、取得部２５、表示制御部２６）、制御部３３の検知部４１、充電制御部４２（取得部４３、機器リスト作成部４４、管理機器決定部４５、送信部４６、選択機器特定表示制御部４７）は、集積回路（ＩＣチップ）上に形成された論理回路によってハードウェア的に実現していてもよいし、ＣＰＵ（central processing unit）を用いてソフトウェア的に実現してもよい。
【０１４１】
後者の場合、携帯電話１および充電台２は、各機能を実現する制御プログラムの命令を実行するＣＰＵ、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである携帯電話１および充電台２の制御プログラムのプログラムコード（実行形式プログラム、中間コードプログラム、ソースプログラム）をコンピュータで読み取り可能に記録した記録媒体を、上記の携帯電話１および充電台２に供給し、そのコンピュータ（またはＣＰＵやＭＰＵ（micro processing unit））が記録媒体に記録されているプログラムコードを読み出し実行することによっても、達成可能である。
【０１４２】
上記記録媒体としては、例えば、磁気テープやカセットテープ等のテープ類、フロッピー（登録商標）ディスク／ハードディスク等の磁気ディスクやＣＤ−ＲＯＭ（compact disc read-only memory）／ＭＯ（magneto-optical）／ＭＤ（Mini Disc）／ＤＶＤ（digital versatile disk）／ＣＤ−Ｒ（CD Recordable）等の光ディスクを含むディスク類、ＩＣカード（メモリカードを含む）／光カード等のカード類、マスクＲＯＭ／ＥＰＲＯＭ（erasable programmable read-only memory）／ＥＥＰＲＯＭ（electrically erasable and programmable read-only memory）／フラッシュＲＯＭ等の半導体メモリ類、あるいはＰＬＤ（Programmable logic device）やＦＰＧＡ（Field Programmable Gate Array）等の論理回路類などを用いることができる。
【０１４３】
また、携帯電話１および充電台２を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ（local area network）、ＩＳＤＮ（integrated services digital network）、ＶＡＮ（value-added network）、ＣＡＴＶ（community antenna television）通信網、仮想専用網（virtual private network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ（institute of electrical and electronic engineers）１３９４、ＵＳＢ、電力線搬送、ケーブルＴＶ回線、電話線、ＡＤＳＬ（asynchronous digital subscriber loop）回線等の有線でも、ＩｒＤＡ（infrared data association）やリモコンのような赤外線、Ｂｌｕｅｔｏｏｔｈ（登録商標）、ＩＥＥＥ８０２．１１無線、ＨＤＲ（high data rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１４４】
なお、本発明は上述した実施の形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１４５】
無接点充電台に載置された複数の被充電機器を制御するときに、制御設定の対象として選択されている被充電機器を提示することができるので、複数の被充電機器を充電できる充電台に好適である。
【符号の説明】
【０１４６】
１    携帯電話（充電台制御端末、被充電機器）
２    充電台
３    デジタルカメラ（被充電機器）
４    携帯音楽プレーヤ（被充電機器）
５    携帯音楽プレーヤ（被充電機器）
１２    表示部
２３    指示受付部（選択受付手段）
２４    制御情報送信部（制御対象候補情報送信手段）
２５    取得部（リスト取得手段）
２６    表示制御部（表示制御手段）
３１    載置部
３６    点灯部（載置面点灯部）
４３    取得部（制御対象候補情報取得手段）
４７    選択機器特定表示制御部（区別表示処理手段）
【図１】
0005701702.tif 000002
【図２】
0005701702.tif 000003
【図３】
0005701702.tif 000004
【図４】
0005701702.tif 000005
【図５】
0005701702.tif 000006
【図６】
0005701702.tif 000007
【図７】
0005701702.tif 000008
【図８】
0005701702.tif 000009
【図９】
0005701702.tif 000010
【図１０】
0005701702.tif 000011
【図１１】
0005701702.tif 000012
【図１２】
0005701702.tif 000013
【図１３】
0005701702.tif 000014
【図１４】
0005701702.tif 000015